(57)【要約】【目的】コンセントの栓刃をテーブルタップ等の刃受けから離脱させるとき、コンセントとテーブルタップ等の中間に挟んであるコンセント離脱板を左右から挟み込むと中央のヒンジから折れて、梃子の原理で強い力を必要とせずに、わずかな力でコンセントをテーブルタップ等から持ち上げて離脱することができることを目的としている。【構成】本発明はプラスチック成型品１部品で構成されている。この１部品で、梃子の原理でコンセントとデーブルタップ等を子供、女性、老人、誰にでも簡単に離脱できることを可能にしたコンセント離脱板である。又、テーブルタップ等の刃受けのピッチが狭くコンセント離脱板を多数使用して接触するときは、コンセント離脱板を９０度左か、９０度右へ回転させて、コンセントの栓刃をテーブルタップ等の刃受けにセットすることができる。【選択図】  図１
2005056808.tif 000002
【特許請求の範囲】
【請求項１】
コンセントの栓刃をテーブルタップ等の刃受けから離脱させるとき、コンセントとテーブルタップ等の中間にプラスチック製離脱板を挟んでおき、プラスチック製離脱板を左右から挟み込むと中央のヒンジから折れて、梃子の原理で強い力を必要とせずに、わずかな力でコンセントをテーブルタップ等から持ち上げて離脱することができるコンセント離脱板。
【請求項２】
テーブルタップ等の連続するピッチの狭い刃受けにコンセントの栓刃を連続して多数セットしたとき、プラスチック製離脱板を多数使用しても、プラスチック製離脱板が接触しないように９０度左か、９０度右に角度をかえてセットできるコンセント離脱板。
【発明の詳細な説明】
【技術分野】
【０００１】本発明は、テーブルタップ等の刃受けからコンセントの栓刃を離脱するとき、強い力を必要とせずに離脱することのできるコンセント離脱板に関するものである。【０００２】又、テーブルタップ等の刃受けのピッチが接近していて、プラスチック製離脱板が接触するときは、９０度左か、９０度右に角度をかえて触れ合わないようにセットできるコンセント離脱板に関するものである。
【背景技術】
【０００３】従来は、テーブルタップ等の刃受けからコンセントの栓刃を離脱するときは、コンセントのボディを掴んで引っ張っているが、刃受けのグリップ力が強いときは、なかなか離脱できず苦労をしている。【０００４】そのため、楽に離脱しようとしてコンセントの電線を引っ張って離脱している。この方法では、繰り返しコンセントの電線を引っ張って離脱していることによりコンセントの栓刃と電線を接続している部分が切断したり、電線の被覆が破損して中の電線が露出し、漏電事故の原因となってしまう。
【発明の開示】
【発明が解決しようとする課題】
【０００５】解決しようとする問題点は、従来のテーブルタップ等の刃受けからコンセントの栓刃を離脱するとき、固くて離脱できないときに、コンセントの電線を引っ張って離脱していることが多く、漏電火災事故が発生する可能性が高いのが現状です。
【課題を解決するための手段】
【０００６】本発明は、コンセントの栓刃をテーブルタップ等の刃受けから離脱させるとき、コンセントとテーブルタップ等の中間にプラスチック製離脱板を挟んでおき、プラスチック製離脱板を左右から挟み込むと中央のヒンジから折れて、梃子の原理で強い力を必要とせずに、わずかな力でコンセントをテーブルタップ等から持ち上げて離脱することのできるプラスチック製離脱板である。【０００７】更に、テーブルタップ等の連続するピッチの狭い刃受けにコンセントの栓刃を連続して多数セットしたとき、プラスチック製離脱板を多数使用しても接触ないように９０度左か、９０度右に角度をかえてセットできるプラスチック製離脱板である。
【作用】
【０００８】以上のように構成された本発明は極めて低コストであるため、経済的な負担が少なく、簡単に手に入れることできる。
【０００９】さらに、コンセントの電線を引っ張って、テープルタップ等の刃受けからコンセントの栓刃を離脱していることにより、コンセントの栓刃と電線を接続している部分が切断したり、電線の被覆が破損して中の電線が露出して発生する感電とか漏電火災事故の原因が防止できる。
【００１０】又、コンセント離脱板の平面にシールを貼り、コンセントと接続されている電気製品の種類を記入しておくと、不要となったコンセントを離脱するとき、不要となったコンセントがネーム入りシールにより即座に選別できる。
【実施例】
【００１１】本発明の実施例を図面に基づいて説明する。図１は本発明のコンセント離脱板の構成図で、離脱板１、穴２、穴３、ヒンジ４、コンセント５、電線６、栓刃７、テーブルタップ８、穴９、スイッチ１０、電線１１、コンセント１２、刃受け１３とから構成される。【００１２】ここで、図１について詳細に説明する。図１はコンセント離脱板の構成を示す図で、離脱板１の穴２にコンセント５の栓刃７を差し込み、さらに、離脱板１を中間に挟むようにして、コンセント５の栓刃７をテーブルタップ８の穴９に差し込み、テーブルタップ８の中に設置されている刃受け１３に栓刃７の先端部を押し込んでセットが完了します。【００１３】又、離脱板１が連続して多数使用され、接触するときは、離脱板１を９０度右か、９０度左に回転させて、コンセント５の栓刃７を離脱板１の穴３に差し込み、テーブルタップ８の穴９に差し込み、テーブルタップ８の中に設置されている刃受け１３に栓刃７の先端部を押し込んでセットが完了します。【００１４】図２は図１と同じ状態を示す図で、セットする前の状態を示す図である。【００１５】図３は図１で説明したセットが完了した状態を示す図である。【００１６】ここで、図１の説明の続きに戻ります。コンセント５がテーブルタップ８にセットされた図３の状態からコンセント５をテーブルタップ８から離脱して、栓刃７を刃受け１３から離脱させるには、中間に挟んである離脱板１の左右の先端部１４を指で挟んで中央に狭める力を加えると、離脱板１が離脱板１の中央のヒンジ４の部分で折れて、梃子の原理で少しの力でコンセント５が持ち上げられて、コンセント５がテーブルタップ８から離脱し、栓刃７が刃受け１３から離脱します。【００１７】この離脱した状態を示すのが図４である。【００１８】この図４の状態から図１の状態に戻って、コンセント５とテーブルタップ８の離脱作業は完了します。
【発明の効果】
【００１９】以上のように構成された本発明のコンセント離脱板は子供でも、女性でも、老人でも、誰にでも簡単に、少しの力でテーブルタップ等からコンセントを離脱できることはすばらしいことである。
【００２０】又、感電事故や漏電火災事故を防止できることは大切なことである。
【図面の簡単な説明】
【００２１】
【図１】本実施例のコンセント離脱板の構成を示す図である。
【図２】本実施例のコンセント離脱板のセットする前の状態を示す図である。
【図３】本実施例のコンセント離脱板を挟んでコンセントとテーブルタップがセットされた状態を示す図である。
【図４】本実施例のコンセント離脱板によりコンセントがテーブルタップから離脱された状態を示す図である。
【符号の説明】
【００２２】  １．離脱板  ２．穴  ３．穴  ４．ヒンジ  ５．コンセント  ６．電線  ７．栓刃  ８．テーブルタップ  ９．穴１０．スイッチ１１．電線１２．コンセント１３．刃受け１４．離脱板先端部
【図１】
2005056808.tif 000003
【図２】
2005056808.tif 000004
【図３】
2005056808.tif 000005
【図４】
2005056808.tif 000006